(57)【特許請求の範囲】
【請求項１】
縦横に配置するキーの成形から筐体の開口への挿入に至るキー装置の製造方法であって、
縦横の一方向の奇数番のキーと偶数番のキーとに分割して各々一体の枠体として成形する成形工程と、
各々一体の枠体として成形した前記奇数番のキーを有する枠体と前記偶数番のキーを有する枠体とを重ねて組み立てる組立工程と、
前記重ねて組み立てられた枠体からキーを切断し、前記筐体の開口に一括して挿入する挿入工程とからなることを特徴とするキー装置の製造方法。
【請求項２】
縦横に配置するキーの成形から筐体の開口への挿入に至るキー装置の製造方法であって、
縦横の一方向の奇数列のキーを、縦横の他方向の奇数番のキーと偶数番のキーとに分割して各々一体の枠体として成形する一方、縦横の前記一方向の偶数列のキーを、縦横の前記他方向の奇数番のキーと偶数番のキーとに分割して各々一体の枠体として成形する成形工程と、
各々一体の枠体として成形した前記奇数列の前記奇数番のキーを有する枠体と前記奇数列の前記偶数番のキーを有する枠体とを重ねて組み立てる一方、各々一体の枠体として成形した前記偶数列の前記奇数番のキーを有する枠体と前記偶数列の前記偶数番のキーを有する枠体とを重ねて組み立てる組立工程と、
前記重ねて組み立てられた枠体から前記奇数列のキーを切断し、前記筐体の開口に一括して挿入する一方、前記重ねて組み立てられた枠体から前記偶数列のキーを切断し、前記筐体の開口に一括して挿入する挿入工程とからなることを特徴とするキー装置の製造方法。
【請求項３】
前記挿入工程において、
前記枠体を重ねて組み立てた前記奇数列のキーを、前記筐体のリブで仕切られた奇数列の開口に一括して挿入する一方、前記枠体を重ねて組み立てた前記偶数列のキーを、前記筐体のリブで仕切られた偶数列の開口に一括して挿入することを特徴とする請求項２に記載のキー装置の製造方法。
【請求項４】
前記組立工程において重ねて組み立てられた枠体のキーに印刷を施す印刷工程を有することを特徴とする請求項１乃至３に記載のキー装置の製造方法。
【発明の詳細な説明】
【技術分野】
【０００１】
本発明は、接近配置するキーを有するキー装置の製造方法に関する。
【背景技術】
【０００２】
コンピュータなどのキー入力装置に用いるキーボードを製造するための方法および装置が特許文献１に提案されている。すなわち、特許文献１では、射出成形機によりキースイッチ１台に必要な全てのキーキャップを、キースイッチにおける配列と同じ配列で射出成形した後、成形型から搬送機に持たせた吸着装置にキーキャップ群を直接移載して、キャップ集合装置に搬送し、キャップ集合装置においてキーキャップ群をキースイッチと同じピッチに集合させる。その後、その集合状態を維持したままキーキャップの全てをキャップ挿入装置の昇降ユニットに持たせた挿入治具に移し、昇降ユニットを挿入ステーションに戻した後、加圧ユニットの作動により挿入治具を下降させて、可動テーブル上の筐体のキー挿入孔にキーキャップを一括して挿入する。
【先行技術文献】
【特許文献】
【０００３】
【特許文献１】特開２００３−１０３５８５号公報
【発明の概要】
【発明が解決しようとする課題】
【０００４】
ところで、電子機器の小型化のためにキーを接近させて配置する場合、キー間の間隔が小さすぎると金型の作製ができず、逆に、金型作製が可能なようにキー間の間隔を大きくすると小型化できないといった問題がある。
【０００５】
本発明の課題は、キーを接近配置して小型化することである。
【課題を解決するための手段】
【０００８】
以上の課題を解決するため、請求項１に記載の発明は、縦横に配置するキーの成形から筐体の開口への挿入に至るキー装置の製造方法であって、縦横の一方向の奇数番のキーと偶数番のキーとに分割して各々一体の枠体として成形する成形工程と、各々一体の枠体として成形した前記奇数番のキーを有する枠体と前記偶数番のキーを有する枠体とを重ねて組み立てる組立工程と、前記重ねて組み立てられた枠体からキーを切断し、前記筐体の開口に一括して挿入する挿入工程とからなることを特徴とする。
【０００９】
請求項２に記載の発明は、縦横に配置するキーの成形から筐体の開口への挿入に至るキー装置の製造方法であって、縦横の一方向の奇数列のキーを、縦横の他方向の奇数番のキーと偶数番のキーとに分割して各々一体の枠体として成形する一方、縦横の前記一方向の偶数列のキーを、縦横の前記他方向の奇数番のキーと偶数番のキーとに分割して各々一体の枠体として成形する成形工程と、各々一体の枠体として成形した前記奇数列の前記奇数番のキーを有する枠体と前記奇数列の前記偶数番のキーを有する枠体とを重ねて組み立てる一方、各々一体の枠体として成形した前記偶数列の前記奇数番のキーを有する枠体と前記偶数列の前記偶数番のキーを有する枠体とを重ねて組み立てる組立工程と、前記重ねて組み立てられた枠体から前記奇数列のキーを切断し、前記筐体の開口に一括して挿入する一方、前記重ねて組み立てられた枠体から前記偶数列のキーを切断し、前記筐体の開口に一括して挿入する挿入工程とからなることを特徴とする。
【００１０】
請求項３に記載の発明は、請求項２に記載のキーの製造方法であって、前記挿入工程において、前記枠体を重ねて組み立てた前記奇数列のキーを、前記筐体のリブで仕切られた奇数列の開口に一括して挿入する一方、前記枠体を重ねて組み立てた前記偶数列のキーを、前記筐体のリブで仕切られた偶数列の開口に一括して挿入することを特徴とする。
【００１１】
請求項４に記載の発明は、請求項１乃至３に記載のキー装置の製造方法であって、前記組立工程において重ねて組み立てられた枠体のキーに印刷を施す印刷工程を有することを特徴とする。
【発明の効果】
【００１２】
本発明によれば、キーを接近配置して小型化することができる。
【図面の簡単な説明】
【００１３】
【図１】本発明を適用した電子機器の一実施形態の構成を示すもので、電卓を示した正面図である。
【図２】図１の矢印Ａ−Ａ線に沿った拡大断面図である。
【図３】図１の矢印Ｂ−Ｂ線に沿った拡大断面図である。
【図４】図１のキーを挿入した上ケースを裏側から見てキーの一括挿入を示した拡大斜視図である。
【図５】下部のキー装置を構成する縦方向に奇数列のキーを組み立てた状態の平面図（ａ）と、その横方向に奇数番のキーの成形部品の平面図（ｂ）と、横方向に偶数番のキーの成形部品の平面図（ｃ）である。
【図６】下部のキー装置を構成する縦方向に偶数列のキーを組み立てた状態の平面図（ａ）と、その横方向に奇数番のキーの成形部品の平面図（ｂ）と、横方向に偶数番のキーの成形部品の平面図（ｃ）である。
【図７】組立状態のキーの斜視図である。
【図８】図７の組立状態のキーを二段重ねた斜視図である。
【図９】図８の組立状態のキーを二段重ねた平面図である。
【図１０】図９の矢印Ｃ−Ｃ線に沿った拡大断面図である。
【図１１】図９の矢印Ｄ−Ｄ線に沿った拡大断面図である。
【発明を実施するための形態】
【００１４】
以下、図を参照して本発明を実施するための形態を詳細に説明する。
図１は本発明を適用した電子機器の一実施形態の構成として電卓を示したもので、図中、１は筐体、２は表示部、３は下部のキー装置、４は中間部のキー装置である。
【００１５】
図示例において、筐体１には、上部に表示部２が設けられて、下部にキー装置３が設けられるとともに、中間部にキー装置４が設けられている。
【００１６】
図２及び図３は下部のキー装置３の断面を示したもので、図中、１１は上ケース、１２は横方向のリブ、３１はキー、３５は基板、３７はインナーラバーである。
【００１７】
図示のように、筐体１の上ケース１１の下部には、キー装置３のキー３１を横方向に並べて配置するための開口を上下に仕切る横方向のリブ１２のみが形成されていて、縦方向のリブは形成されていない。
【００１８】
キー３１は、上ケース１１の横方向のリブ１２により仕切られた開口の上下にフランジ３２が当接して抜け止めされて、基板３５に重ねたインナーラバー３７のスイッチ部に対応するドーム部に重ねて配置されている。
【００１９】
図４はキー３１を挿入した上ケース１１を裏側から見てキー３１の一括挿入を示したもので、図示のように、横方向のリブ１２には、キー３１の上下のフランジ３２の側面に当接する位置決めガイド１３が形成されている。また、上ケース１１のキー３１を配置する開口の上下に沿った部分にも同様の位置決めガイド１３が形成されている。
【００２０】
また、位置決めガイド１３と一体に、基板３５に重ねたインナーラバー３７の上に重なるボス１４が形成されている。そして、位置決めガイド１３と一体に、ボス１４より長い突起１５が形成されている。図示例では、ボス１４と突起１５が横方向に交互に配置されている。
【００２１】
キー３１の横方向のガタは、そのフランジ３２の左右の側面とリブ１２の位置決めガイド１３との当接により防止される。
また、キー３１の縦方向のガタは、その上下の側面とリブ１２との当接、及び上ケース１１の開口の上下に沿った部分との当接により防止される。
【００２２】
ここで、基板３５には、リブ１２の突起１５が挿入される孔（不図示）が形成されている。また、インナーラバー３７には、リブ１２の突起１５が貫通する孔（不図示）が形成されている。
【００２３】
従って、リブ１２の突起１５は、横方向の二箇所において、インナーラバー３７の孔を貫通して、基板３５の孔に挿入した係合状態となる。
【００２４】
なお、基板３５は、上ケース１１にねじ止め固定されている。この基板３５の下に下ケース（不図示）が重ねられている。下ケースは上ケース１１に周囲でねじ止め固定される。
【００２５】
以上、実施形態の電卓によれば、下部のキー装置３において、縦方向のリブをなくして、キー３１を横方向に並べて配置する開口を横方向のリブ１２のみで上下に仕切ったので、キー３１を横方向に最接近させて並べられることによって、キー装置３を小型化することができる。
【００２６】
そして、横方向のリブ１２の突起１５を、二箇所において、インナーラバー３７の孔を貫通して、基板３５の孔に挿入した係合状態としたので、縦方向のリブをなくしながら、横方向のリブ１２の剛性を確保して、筐体１の強度も確保することができる。
【００２７】
次に、本発明による接近配置するキーを有する枠体の成形方法と、その成形方法を含むキー装置の製造方法について説明する。
【００２８】
先ず、図５は下部のキー装置３を構成する縦方向に奇数列（上から第一列と第三列）のキー５１・５３の構成を示すもので、図５（ａ）はキー５１・５３を組み立てた状態を示している。そして、図５（ｂ）は横方向に奇数番（一番と三番と五番）のキー５１ａ・５１ｃ・５１ｅ・５３ａ・５３ｃ・５３ｅの成形部品を示し、図５（ｃ）は偶数番（二番と四番）のキー５１ｂ・５１ｄ・５３ｂ・５３ｄの成形部品を示している。
【００２９】
すなわち、縦方向に上から第一列と第三列のキー５１・５３は、図５（ｂ）に示すように、横方向に一番と三番と五番のキー５１ａ・５１ｃ・５１ｅ・５３ａ・５３ｃ・５３ｅを枠体５０の内方に有する射出成形部品と、図５（ｃ）に示すように、横方向に二番と四番のキー５１ｂ・５１ｄ・５３ｂ・５３ｄを枠体５５の内方に有する射出成形部品とを組み立てて構成される。
【００３０】
横方向に一番と三番と五番のキー５１ａ・５１ｃ・５１ｅ・５３ａ・５３ｃ・５３ｅを内方に有する枠体５０の上には、四隅にピン５０ｐが形成されて、両側部中央にピン５０ｑが形成されている。
【００３１】
横方向に二番と四番のキー５１ｂ・５１ｄ・５３ｂ・５３ｄを内方に有する枠体５５の上にも、四隅にピン５５ｐが形成されて、両側部中央にピン５５ｑが形成されている。四隅のピン５５ｐは、枠体５０の四隅のピン５０ｐに対応してその下方に挿入される。両側部中央のピン５５ｑは、枠体５０の両側部中央のピン５０ｑに対し内側に位置する。
【００３２】
以上において、枠体５５の四隅のピン５５ｐを、枠体５０の四隅のピン５０ｐの下方に挿入すると、図５（ａ）に示したように、縦方向に上から第一列のキー５１ａ・５１ｂ・５１ｃ・５１ｄ・５１ｅと第三列のキー５３ａ・５３ｂ・５３ｃ・５３ｄ・５３ｅが各々接近した状態に並ぶ。
こうして枠体５０・５５を重ねた状態で、図示のように、第一列のキー５１ａ・５１ｂ・５１ｃ・５１ｄ・５１ｅと第三列のキー５３ａ・５３ｂ・５３ｃ・５３ｄ・５３ｅに印刷を施す。
【００３３】
また、図６は下部のキー装置３を構成する縦方向に偶数列（上から第二列と第四列）のキー５２・５４の構成を示すもので、図６（ａ）はキー５２・５４を組み立てた状態を示している。そして、図６（ｂ）は横方向に奇数番（一番と三番と五番）のキー５２ａ・５２ｃ・５２ｅ・５４ａ・５４ｃ・５４ｅの成形部品を示し、図６（ｃ）は偶数番（二番と四番）のキー５２ｂ・５２ｄ・５４ｂ・５４ｄの成形部品を示している。
【００３４】
すなわち、縦方向に上から第二列と第四列のキー５２・５４は、図６（ｂ）に示すように、横方向に一番と三番と五番のキー５２ａ・５２ｃ・５２ｅ・５４ａ・５４ｃ・５４ｅを枠体６０の内方に有する射出成形部品と、図６（ｃ）に示すように、横方向に二番と四番のキー５２ｂ・５２ｄ・５４ｂ・５４ｄを枠体６５の内方に有する射出成形部品とを組み立てて構成される。
【００３５】
横方向に一番と三番と五番のキー５２ａ・５２ｃ・５２ｅ・５４ａ・５４ｃ・５４ｅを内方に有する枠体６０の上には、四隅にピン６０ｐが形成されて、両側部中央にピン６０ｑが形成されている。
【００３６】
横方向に二番と四番のキー５２ｂ・５２ｄ・５４ｂ・５４ｄを内方に有する枠体６５の上にも、四隅にピン６５ｐが形成されて、両側部中央にピン６５ｑが形成されている。四隅のピン６５ｐは、枠体６０の四隅のピン６０ｐに対応してその下方に挿入される。両側部中央のピン６５ｑは、枠体６０の両側部中央のピン６０ｑに対し内側に位置する。
【００３７】
以上において、枠体６５の四隅のピン６５ｐを、枠体６０の四隅のピン６０ｐの下方に挿入すると、図６（ａ）に示したように、縦方向に上から第二列のキー５２ａ・５２ｂ・５２ｃ・５２ｄ・５２ｅと第四列のキー５４ａ・５４ｂ・５４ｃ・５４ｄ・５４ｅが各々接近した状態に並ぶ。
こうして枠体６０・６５を重ねた状態で、図示のように、第二列のキー５２ａ・５２ｂ・５２ｃ・５２ｄ・５２ｅと第四列のキー５４ａ・５４ｂ・５４ｃ・５４ｄ・５４ｅに印刷を施す。
【００３８】
これに対し、図５（ｂ）と図５（ｃ）または図６（ｂ）と図６（ｃ）に示すように、枠体５０・５５・６０・６５を分割したまま印刷する場合、キーの正規位置に印刷が施されれば問題ないが、例えばそれぞれの印刷に上下等のズレが発生すると、印刷ズレが目立ってしまう。
このような印刷ズレの問題は、前述したように、枠体５０・５５を重ねた状態、枠体６０・６５を重ねた状態で印刷することによって解消できる。
【００３９】
図７は枠体６０・６５を重ねた組立状態のキーを示したもので、図８及び図９はその組立状態のキーを二段重ねた状態を示し、図１０及び図１１はそのピン部の断面を示している。
【００４０】
図示のように、枠体６０の四隅のピン６０ｐを、上方の枠体６５の四隅のピン６５ｐの下方に挿入する他、枠体６０の両側部中央のピン６０ｑを、上方の枠体６０の両側部中央のピン６０ｑの下方に挿入するとともに、枠体６５の両側部中央のピン６５ｑを、上方の枠体６５の両側部中央のピン６５ｑの下方に挿入して、組立状態のキーが二段重ねた状態となる。
【００４１】
なお、枠体５０・５５を重ねた組立状態のキー、及びその組立状態のキーを二段重ねた状態についても同様である。
【００４２】
以上の組立状態のキー、及びその組立状態のキーを重ねた状態にできることで、梱包、輸送及び生産に関しても位置部品として取り扱うことができる。
【００４３】
次に、以上の分割キーの筐体の開口への挿入について説明する。
【００４４】
すなわち、図５（ａ）に示したように、枠体５０・５５を重ねて組み立てた第一列のキー５１ａ・５１ｂ・５１ｃ・５１ｄ・５１ｅと第三列のキー５３ａ・５３ｂ・５３ｃ・５３ｄ・５３ｅを、筐体１のリブ１２で仕切られた第一列と第三列の開口に、図４に示すように、内側から一括して挿入する。
【００４５】
このとき、枠体５０の四隅のピン５０ｐ及び両側部中央のピン５０ｑと、枠体５５の両側部中央のピン５５ｑとが、図示しない治具に挿入して位置決めされる。そして、枠体５０・５５から第一列のキー５１ａ・５１ｂ・５１ｃ・５１ｄ・５１ｅと第三列のキー５３ａ・５３ｂ・５３ｃ・５３ｄ・５３ｅが同時に切断される。従って、筐体１の第一列と第三列の開口に、第一列のキー５１ａ・５１ｂ・５１ｃ・５１ｄ・５１ｅと第三列のキー５３ａ・５３ｂ・５３ｃ・５３ｄ・５３ｅが移載される。
【００４６】
また、図６（ａ）に示したように、枠体６０・６５を重ねて組み立てた第二列のキー５２ａ・５２ｂ・５２ｃ・５２ｄ・５２ｅと第四列のキー５４ａ・５４ｂ・５４ｃ・５４ｄ・５４ｅを、筐体１のリブ１２で仕切られた第二列と第四列の開口に、図４に示すように、内側から一括して挿入する。
【００４７】
このときも、枠体６０の四隅のピン６０ｐ及び両側部中央のピン６０ｑと、枠体６５の両側部中央のピン６５ｑとが、図示しない治具に挿入して位置決めされる。そして、枠体６０・６５から第二列のキー５２ａ・５２ｂ・５２ｃ・５２ｄ・５２ｅと第四列のキー５４ａ・５４ｂ・５４ｃ・５４ｄ・５４ｅが同時に切断される。従って、筐体１の第二列と第四列の開口に、第二列のキー５２ａ・５２ｂ・５２ｃ・５２ｄ・５２ｅと第四列のキー５４ａ・５４ｂ・５４ｃ・５４ｄ・５４ｅが移載される。
【００４８】
以上、実施形態の電卓によれば、下部のキー装置３において、縦方向に第一列と第三列のキー５１・５３を、横方向に一番と三番と五番のキー５１ａ・５１ｃ・５１ｅ・５３ａ・５３ｃ・５３ｅと二番と四番のキー５１ｂ・５１ｄ・５３ｂ・５３ｄとに分割して各々一体成形する一方、縦方向の第二列と第四列のキー５２・５４を、横方向に一番と三番と五番のキー５２ａ・５２ｃ・５２ｅ・５４ａ・５４ｃ・５４ｅと二番と四番のキー５２ｂ・５２ｄ・５４ｂ・５４ｄとに分割して各々一体成形することで、キーを接近配置して小型化しながら、二分割したキーを筐体１の開口に挿入することができる。
【００４９】
すなわち、各々一体成形した一番と三番と五番のキー５１ａ・５１ｃ・５１ｅ・５３ａ・５３ｃ・５３ｅの枠体５０と二番と四番のキー５１ｂ・５１ｄ・５３ｂ・５３ｄの枠体５５とを重ねて、第一列と第三列のキー５１・５３を組み立てる一方、各々一体成形した一番と三番と五番のキー５２ａ・５２ｃ・５２ｅ・５４ａ・５４ｃ・５４ｅの枠体６０と二番と四番のキー５２ｂ・５２ｄ・５４ｂ・５４ｄの枠体６５とを重ねて、第二列と第四列のキー５２・５４を組み立てる。
【００５０】
そして、枠体５０・５５を重ねた第一列のキー５１ａ・５１ｂ・５１ｃ・５１ｄ・５１ｅと第三列のキー５３ａ・５３ｂ・５３ｃ・５３ｄ・５３ｅを、筐体１の第一列と第三列の開口に内側から一括して挿入する一方、枠体６０・６５を重ねた第二列のキー５２ａ・５２ｂ・５２ｃ・５２ｄ・５２ｅと第四列のキー５４ａ・５４ｂ・５４ｃ・５４ｄ・５４ｅを、筐体１の第二列と第四列の開口に内側から一括して挿入する。
【００５１】
以上により、電卓下部のキー装置３において、キー３１を接近配置して小型化しながら、キー３１をキー５１・５３とキー５２・５４とに二分割して筐体１の開口に挿入することができる。
【００５２】
（変形例）
以上の実施形態においては、電卓としたが、本発明はこれに限定されるものではなく、カメラ、ＰＤＡ、ノートパソコン、ウェアラブルパソコン、電子辞書、携帯電話などの機器全てに用いることができる。
また、実施形態では、縦方向のリブをなくして横方向のリブを設けたが、横方向のリブをなくして縦方向のリブを設けてもよい。
さらに、キーの配列や形状・個数、リブの形状・個数等も任意であり、その他、具体的な細部構造等についても適宜に変更可能であることは勿論である。
【符号の説明】
【００５３】
１  筐体
１１  上ケース
１２  リブ
１３  位置決めガイド
１４  ボス
１５  突起
２  表示部
３  下部のキー装置
３１  キー
３２  フランジ
３５  基板
３７  インナーラバー
４  中間部のキー装置
５０  枠体
５０ｐ  ピン
５０ｑ  ピン
５１  奇数列のキー
５１ａ  奇数番のキー
５１ｂ  偶数番のキー
５１ｃ  奇数番のキー
５１ｄ  偶数番のキー
５１ｅ  奇数番のキー
５２  偶数列のキー
５２ａ  奇数番のキー
５２ｂ  偶数番のキー
５２ｃ  奇数番のキー
５２ｄ  偶数番のキー
５２ｅ  奇数番のキー
５３  奇数列のキー
５３ａ  奇数番のキー
５３ｂ  偶数番のキー
５３ｃ  奇数番のキー
５３ｄ  偶数番のキー
５３ｅ  奇数番のキー
５４  偶数列のキー
５４ａ  奇数番のキー
５４ｂ  偶数番のキー
５４ｃ  奇数番のキー
５４ｄ  偶数番のキー
５４ｅ  奇数番のキー
５５  枠体
５５ｐ  ピン
５５ｑ  ピン
６０  枠体
６０ｐ  ピン
６０ｑ  ピン
６５  枠体
６５ｐ  ピン
６５ｑ  ピン
【図１】
0005477134.tif 000002
【図２】
0005477134.tif 000003
【図３】
0005477134.tif 000004
【図４】
0005477134.tif 000005
【図５】
0005477134.tif 000006
【図６】
0005477134.tif 000007
【図７】
0005477134.tif 000008
【図８】
0005477134.tif 000009
【図９】
0005477134.tif 000010
【図１０】
0005477134.tif 000011
【図１１】
0005477134.tif 000012